(57)【要約】【課題】  重要情報を充分に保護することが可能な中継装置、及び、この中継装置を備える通信システムを提供する。【解決手段】  端末１０ａと端末１０ｂとの間で送受信される送受信データを中継し、サービス管理サーバ３０及びトラフィック情報取得サーバ４０と通信を行う中継装置２０ａが、サービス管理サーバ３０及びトラフィック情報取得サーバ４０が正当であるか否かを認証する認証部２２ａと、サービス管理サーバ３０及びトラフィック情報取得サーバ４０が正当であることが認証部２２ａによって認証された場合に、複製された送受信データをトラフィック情報取得サーバ４０に送信し、モニタリングレポートをサービス管理サーバ３０に送信する送受信部２１ａとを備える。【選択図】  図２
2006293639.tif 000002
【特許請求の範囲】
【請求項１】
第１端末と第２端末との間で送受信される送受信データを中継し、前記送受信データに関する情報であるトラフィック情報を所定の権限の範囲内で受信することが許容される第１サーバ及び前記所定の権限の範囲を超えて前記第１サーバが前記トラフィック情報を受信しているか否かを監視する第２サーバと通信を行う中継装置であって、
前記第１サーバ及び前記第２サーバが正当であるか否かを認証する認証部と、
前記第１サーバ及び前記第２サーバが正当であることが前記認証部によって認証された場合に、前記トラフィック情報を前記第１サーバに送信する第１送信部と、
前記第１サーバ及び前記第２サーバが正当であることが前記認証部によって認証された場合に、前記第１サーバが前記所定の権限の範囲を超えているか否かを監視するための監視情報を前記第２サーバに送信する第２送信部とを備えることを特徴とする中継装置。
【請求項２】
前記トラフィック情報は、前記送受信データの複製であることを特徴とする請求項１に記載の中継装置。
【請求項３】
前記トラフィック情報は、前記送受信データのデータ量を示す情報、前記第１端末のアドレスを示す情報、前記第２端末のアドレスを示す情報、及び、前記第１端末と前記第２端末との間に設定されたチャネル数を示す情報のうち、少なくともいずれかを含むことを特徴とする請求項１に記載の中継装置。
【請求項４】
第１端末と第２端末との間で送受信される送受信データを中継する中継装置と、前記送受信データに関する情報であるトラフィック情報を所定の権限の範囲内で受信することが許容される第１サーバと、前記所定の権限の範囲を超えて前記第１サーバが前記トラフィック情報を受信しているか否かを監視する第２サーバとを備える通信システムであって、
前記中継装置は、
前記第１サーバ及び前記第２サーバが正当であるか否かを認証する認証部と、
前記第１サーバ及び前記第２サーバが正当であることが前記認証部によって認証された場合に、前記トラフィック情報を前記第１サーバに送信する第１送信部と、
前記第１サーバ及び前記第２サーバが正当であることが前記認証部によって認証された場合に、前記所定の権限の範囲を超えているか否かを監視するための監視情報を前記第２サーバに送信する第２送信部とを備え、
前記第２サーバは、
前記中継装置から受信する前記監視情報に基づいて、前記第１サーバが前記所定の権限の範囲を超えているか否かを判定する判定部と、
前記所定の権限の範囲を超えていると前記判定部が判定した場合に、前記トラフィック情報の送信中止を前記中継装置に要求する送信中止要求部とを備えることを特徴とする通信システム。
【発明の詳細な説明】
【技術分野】
【０００１】
第１端末と第２端末との間で送受信される送受信データを中継する中継装置、及び、この中継装置を備える通信システム。
【背景技術】
【０００２】
従来、ゲートウェイ等の中継装置が携帯端末のＩＤやパスワード等を認証サーバに送信し、認証サーバによって携帯端末が正当であると認証されると、中継装置が課金情報を課金サーバに送信する技術が知られている（例えば、特許文献１）。
【０００３】
ここで、課金情報は、厳重に保護されなければならない重要情報であるため、送信元装置（中継装置）は、課金情報のような重要情報を送信する場合には、重要情報の送信先である送信先装置（例えば、課金サーバ）が正当であるか否かを認証する必要がある。同様に、送信先装置も、送信元装置が正当であるか否かを認証する必要がある。
【０００４】
このように、送信元装置及び送信先装置が、相手方が正当であるか否かを互いに認証する手法として、ＩＰｓｅｃ（Security  Protocol）等が知られている。
【０００５】
具体的には、ＩＰｓｅｃでは、送信元装置及び送信先装置は、Pre-Share  Key、ディジタル署名及び公開鍵等を用いて、相手方が正当であるか否かを互いに認証する。
【特許文献１】特開２００４−４８１５７号公報（段落、図１）
【発明の開示】
【発明が解決しようとする課題】
【０００６】
しかしながら、従来技術では、送信元装置及び送信先装置は１対１で相手方が正当であるか否かを認証しているに過ぎないため、重要情報が充分に保護されない場合があった。
【０００７】
例えば、送信先装置が所定の権限の範囲内でしか重要情報を受信する権限を有していない場合には、バグ等の発生によって送信先装置が所定の権限を越えて重要情報を受信して、重要情報が充分に保護されない可能性がある。
【０００８】
そこで、本発明は、上述した課題を解決するためになされたものであり、重要情報を充分に保護することが可能な中継装置、及び、この中継装置を備える通信システムを提供することを目的とする。
【課題を解決するための手段】
【０００９】
本発明の第１の特徴は、第１端末と第２端末との間で送受信される送受信データを中継し、前記送受信データに関する情報であるトラフィック情報を所定の権限の範囲内で受信することが許容される第１サーバ及び前記所定の権限の範囲を超えて前記第１サーバが前記トラフィック情報を受信しているか否かを監視する第２サーバと通信を行う中継装置であって、前記第１サーバ及び前記第２サーバが正当であるか否かを認証する認証部と、前記第１サーバ及び前記第２サーバが正当であることが前記認証部によって認証された場合に、前記トラフィック情報を前記第１サーバに送信する第１送信部と、前記第１サーバ及び前記第２サーバが正当であることが前記認証部によって認証された場合に、前記第１サーバが前記所定の権限の範囲を超えているか否かを監視するための監視情報を前記第２サーバに送信する第２送信部とを備える。
【００１０】
かかる特徴によれば、第１サーバ及び第２サーバが正当であることが認証部によって認証された後に、第１送信部がトラフィック情報を第１サーバに送信し、第１サーバ及び第２サーバが正当であることが認証部によって認証された後に、第２送信部が監視情報を第２サーバに送信することにより、中継装置は、第１ユーザ情報及び第２ユーザ情報（重要情報）を充分に保護することができる。
【００１１】
本発明の第１の特徴において、前記トラフィック情報は、前記送受信データの複製であることが好ましい。
【００１２】
本発明の第２の特徴において、前記トラフィック情報は、前記送受信データのデータ量を示す情報、第１端末のアドレスを示す情報、第２端末のアドレスを示す情報、及び、第１端末と第２端末との間に設定されたチャネル数を示す情報のうち、少なくともいずれかを含むことが好ましい。
【００１３】
本発明の第４の特徴は、第１端末と第２端末との間で送受信される送受信データを中継する中継装置と、前記送受信データに関する情報であるトラフィック情報を所定の権限の範囲内で受信することが許容される第１サーバと、前記所定の権限の範囲を超えて前記第１サーバが前記送受信データを受信しているか否かを監視する第２サーバとを備える通信システムであって、前記中継装置は、前記第１サーバ及び前記第２サーバが正当であるか否かを認証する認証部と、前記第１サーバ及び前記第２サーバが正当であることが前記認証部によって認証された場合に、前記送受信データを複製するとともに、複製された前記送受信データを前記第１サーバに送信する第１送信部と、前記第１サーバ及び前記第２サーバが正当であることが前記認証部によって認証された場合に、前記所定の権限の範囲を超えているか否かを示す監視情報を前記第２サーバに送信する第２送信部とを備え、前記第２サーバは、前記中継装置から受信する前記監視情報に基づいて、前記所定の権限の範囲を超えているか否かを判定する判定部と、前記所定の権限の範囲を超えていると前記判定部が判定した場合に、複製された前記送受信データの送信中止を前記中継装置に要求する送信中止要求部とを備えることを要旨とする。
【発明の効果】
【００１４】
本発明によれば、重要情報を充分に保護することが可能な中継装置、及び、この中継装置を備える通信システムを提供することができる。
【発明を実施するための最良の形態】
【００１５】
（通信システムの概略）
以下において、本発明の一実施形態に係る通信システムの概略について、図面を参照しながら説明する。図１は、本発明の一実施形態に係る通信システム１を示す概略図である。
【００１６】
図１に示すように、通信システム１は、複数の端末１０（端末１０ａ及び端末１０ｂ）と、複数の中継装置２０（中継装置２０ａ及び中継装置２０ｂ）と、サービス管理サーバ３０と、トラフィック情報取得サーバ４０と、通信ネットワーク５０を備える。なお、端末１０ａ及び端末１０ｂは、同様の構成を有するため、これらを総称して端末１０と称する。同様に、中継装置２０ａ及び中継装置２０ｂは、同様の構成を有するため、これらを総称して中継装置２０と称する。
【００１７】
端末１０は、通信ネットワーク５０を介して音声データを送受信する機能、通信ネットワーク５０を介してパケットデータを送受信する機能を有する端末である。具体的には、端末１０は、携帯電話、ＰＤＡ、ＰＣ等である。
【００１８】
中継装置２０は、端末１０ａと端末１０ｂとの間で送受信される音声データ、映像データ及びパケットデータ等（以下、これらを総称して送受信データと称する）を中継する中継装置である。
【００１９】
サービス管理サーバ３０は、送受信データを送受信するサービスを端末１０に提供するサーバである。また、サービス管理サーバ３０は、トラフィック情報取得サーバ４０に与えられた権限の範囲をトラフィック情報取得サーバ４０が超えているか否かを監視するサーバでもある。
【００２０】
トラフィック情報取得サーバ４０は、端末１０ａと端末１０ｂとの間で送受信される送受信データに関する情報であるトラフィック情報を取得する権限が与えられたサーバである。
【００２１】
ここで、トラフィック情報とは、送受信データの複製や通信内容の要約情報である。なお、通信内容の要約情報とは、例えば、送受信データのデータ量（パケット数を含む）、端末１０のアドレス情報（例えば、ＩＰアドレス）、端末１０間に設定されたチャネル数（コネクション数）、端末１０のポート番号、通信開始時間、通信終了時間等のいずれかを少なくとも含む情報である。
【００２２】
（通信システムの構成）
以下において、本発明の一実施形態に係る通信システムの構成について、図面を参照しながら説明する。図２は、本発明の一実施形態に係る通信システム１の構成を示すブロック図である。
【００２３】
図２に示すように、中継装置２０ａは、送受信部２１ａと、認証部２２ａと、モニタリングレポート生成部２３ａと、トラフィック情報生成部２４ａとを備える。
【００２４】
送受信部２１ａは、端末１０ａから端末１０ｂに送信される送受信データを中継し、端末１０ｂから端末１０ａに送信される送受信データを中継する。また、送受信部２１ａは、モニタリングレポート生成部２３ａによって生成されるモニタリングレポートや端末１０ａが端末１０ｂに接続することを要求するための接続要求をサービス管理サーバ３０に送信する。さらに、送受信部２１ａは、トラフィック情報生成部２４ａによって生成されるトラフィック情報をトラフィック情報取得サーバ４０に送信する。
【００２５】
認証部２２ａは、サービス管理サーバ３０及びトラフィック情報取得サーバ４０が正当であるか否かを認証する。具体的には、認証部２２ａは、ＩＰｓｅｃ（Security  Protocol）等に従って、サービス管理サーバ３０及びトラフィック情報取得サーバ４０が正当であるか否かを認証する。なお、認証方法は、ＩＰｓｅｃに従った方法に限定されるものではなく、他の認証方法であってもよい。
【００２６】
モニタリングレポート生成部２３ａは、トラフィック情報取得サーバ４０に与えられた権限の範囲を超えてトラフィック情報取得サーバ４０がトラフィック情報を取得しているか否かを監視するためのモニタリングレポート（監視情報）を生成する。なお、上述したように、モニタリングレポート生成部２３ａによって生成されたモニタリングレポートは、送受信部２１ａによってサービス管理サーバ３０に送信される。
【００２７】
ここで、モニタリングレポートとは、トラフィック情報取得サーバ４０が送受信データの取得を開始した時刻、トラフィック情報取得サーバ４０が送受信データの取得を開始してから経過した時間、トラフィック情報取得サーバ４０が取得した送受信データのデータ量等を示す情報である。
【００２８】
トラフィック情報生成部２４ａは、サービス管理サーバ３０及びトラフィック情報取得サーバ４０が正当であると認証部２２ａが判定した場合に、送受信データに関する情報であるトラフィック情報を生成する。また、トラフィック情報生成部２４ａは、サービス管理サーバ３０から送信中止要求を受信した場合には、トラフィック情報の生成を中止する。なお、上述したように、トラフィック情報生成部２４ａによって生成されたトラフィック情報は、送受信部２１ａによってトラフィック情報取得サーバ４０に送信される。
【００２９】
中継装置２０ｂは、中継装置２０ａと同様に、送受信部２１ｂと、認証部２２ｂと、モニタリングレポート生成部２３ｂと、トラフィック情報生成部２４ｂとを備える。なお、送受信部２１ｂ、認証部２２ｂ、モニタリングレポート生成部２３ｂ及びトラフィック情報生成部２４ｂは、送受信部２１ａ、認証部２２ａ、モニタリングレポート生成部２３ａ及びトラフィック情報生成部２４ａと同様の構成を有するため、これらの説明については省略する。
【００３０】
なお、本実施形態において、モニタリングレポートやトラフィック情報をサービス管理サーバ３０やトラフィック情報取得サーバ４０に送信する中継装置２０は、例えば、ゲートウェイや無線制御装置等である。
【００３１】
サービス管理サーバ３０は、送受信部３１と、認証部３２と、監視部３３と、監視情報ＤＢ３４とを備える。
【００３２】
送受信部３１は、モニタリングレポートを要求するためのモニタリングレポート要求を各中継装置２０に送信する。また、送受信部３１は、モニタリングレポートや接続要求を中継装置２０から受信する。また、送受信部３１は、端末１０からの接続要求があったことを示す接続要求通知をトラフィック情報取得サーバ４０に送信する。
【００３３】
認証部３２は、中継装置２０が正当であるか否かを認証する。具体的には、認証部３２は、ＩＰｓｅｃ等に従って、中継装置２０が正当であるか否かを認証する。
【００３４】
監視部３３は、各中継装置２０から受信するモニタリングレポートに基づいて、トラフィック情報取得サーバ４０に与えられた権限の範囲をトラフィック情報取得サーバ４０が超えているか否かを監視する。
【００３５】
具体的には、監視部３３は、監視情報ＤＢ３４を参照することによって、端末１０ａと端末１０ｂとの間で送受信されるトラフィック情報を取得する権限がトラフィック情報取得サーバ４０に与えられているか否かを判定する。また、監視部３３は、トラフィック情報を取得する権限がトラフィック情報取得サーバ４０に与えられている場合には、モニタリングレポート要求の送信を送受信部３１に指示する。
【００３６】
さらに、監視部３３は、監視情報ＤＢ３４を参照することによって、トラフィック情報取得サーバ４０に与えられた権限の内容を取得するとともに、取得した権限の内容とモニタリングレポートとを比較することによって、トラフィック情報取得サーバ４０が権限の範囲を超えているか否かを判定する。
【００３７】
また、監視部３３は、トラフィック情報取得サーバ４０が権限の範囲を超えていると判定した場合には、トラフィック情報の送信中止を中継装置２０に要求するための送信中止要求の送信を送受信部３１に指示する。なお、送信中止要求は、送受信部３１によって各中継装置２０に送信される。
【００３８】
監視情報ＤＢ３４は、トラフィック情報取得サーバ４０に与えられた権限の内容を記憶する。具体的には、監視情報ＤＢ３４は、端末１０のＩＤと、トラフィック情報取得サーバ４０に与えられた権限の内容と、トラフィック情報をトラフィック情報取得サーバ４０が取得するタインミングとを対応付けて記憶する。
【００３９】
ここで、トラフィック情報取得サーバ４０に与えられた権限の内容とは、トラフィック情報取得サーバ４０が送受信データの取得を許容される時間（例えば、１０分間）、トラフィック情報取得サーバ４０が送受信データの取得を許容されるデータ量等である。
【００４０】
トラフィック情報取得サーバ４０は、送受信部４１と、認証部４２と、トラフィック情報ＤＢ４３とを備える。
【００４１】
送受信部４１は、接続要求通知をサービス管理サーバ３０から受信する。また、送受信部４１は、トラフィック情報を要求するための送受信データ要求を各中継装置２０に送信する。さらに、送受信部４１は、各中継装置２０からトラフィック情報（例えば、送受信データの複製）を受信する。
【００４２】
認証部４２は、中継装置２０が正当であるか否かを認証する。具体的には、認証部３２は、ＩＰｓｅｃ等に従って、中継装置２０が正当であるか否かを認証する。
【００４３】
トラフィック情報ＤＢ４３は、各中継装置２０から受信するトラフィック情報を記憶する。具体的には、トラフィック情報ＤＢ４３は、端末１０のＩＤと、端末１０間で送受信されるトラフィック情報とを対応付けて記憶する。
【００４４】
（通信方法）
以下において、本発明の一実施形態に係る通信方法について、図面を参照しながら説明する。図３は、本発明の一実施形態に係る通信方法を示すシーケンス図である。なお、図３では、端末１０ａが端末１０ｂに接続する場合を例に挙げて説明する。また、図３では、トラフィック情報取得サーバ４０は、端末１０ａと端末１０ｂとの間で送受信される送受信データに関する情報であるトラフィック情報を取得する権限を有する。
【００４５】
図３に示すように、ステップＳ１０１において、中継装置２０ａは、端末１０ａが端末１０ｂに接続することを要求するための接続要求をサービス管理サーバ３０に送信する。なお、接続要求には、端末１０ａのＩＤと端末１０ｂのＩＤとが少なくとも含まれている。
【００４６】
ステップＳ１０２において、サービス管理サーバ３０は、端末１０ａが端末１０ｂに接続する接続要求を受信したことを示す接続要求通知をトラフィック情報取得サーバ４０に送信する。
【００４７】
ステップＳ１０３ａにおいて、中継装置２０ａとサービス管理サーバ３０とは、相手方が正当であるか否かをＩＰｓｅｃ等に従って互いに認証する。同様に、ステップＳ１０３ｂにおいて、中継装置２０ｂとサービス管理サーバ３０とは、相手方が正当であるか否かをＩＰｓｅｃ等に従って互いに認証する。
【００４８】
ステップＳ１０４ａにおいて、中継装置２０ａとトラフィック情報取得サーバ４０とは、相手方が正当であるか否かをＩＰｓｅｃ等に従って互いに認証する。同様に、ステップＳ１０４ｂにおいて、中継装置２０ｂとトラフィック情報取得サーバ４０とは、相手方が正当であるか否かをＩＰｓｅｃ等に従って互いに認証する。
【００４９】
ステップＳ１０５ａ及びステップＳ１０５ｂにおいて、サービス管理サーバ３０は、ＳＩＰ（Session  Initiation  Protocol）等に従って、端末１０ａと端末１０ｂとの間に接続を確立する。
【００５０】
ステップＳ１０６において、中継装置２０ａ及び中継装置２０ｂは、端末１０ａと端末１０ｂとの間で送受信される送受信データの中継を開始する。
【００５１】
ステップＳ１０７ａにおいて、トラフィック情報取得サーバ４０は、トラフィック情報を要求するためのトラフィック情報要求を中継装置２０ａに送信する。同様に、ステップＳ１０７ｂにおいて、トラフィック情報取得サーバ４０は、トラフィック情報を要求するためのトラフィック情報要求を中継装置２０ｂに送信する。
【００５２】
ここで、トラフィック情報取得サーバ４０は、予め定められたタイミングでトラフィック情報要求を各中継装置２０に送信する。予め定められたタイミングとは、サービス管理サーバ３０とトラフィック情報取得サーバ４０とに設定されたタイミングであり、端末１０ａと端末１０ｂとが通信を開始したタイミングや端末１０ａと端末１０ｂとが通信を開始してから所定時間（例えば、５分）が経過したタイミングである。
【００５３】
ステップＳ１０８ａにおいて、サービス管理サーバ３０は、モニタリングレポートを要求するためのモニタリングレポート要求を中継装置２０ａに送信する。同様に、ステップＳ１０８ｂにおいて、サービス管理サーバ３０は、モニタリングレポートを要求するためのモニタリングレポート要求を中継装置２０ｂに送信する。
【００５４】
ここで、サービス管理サーバ３０は、予め定められたタイミングでモニタリングレポート要求を各中継装置２０に送信する。なお、モニタリングレポート要求を送信するタイミングは、トラフィック情報取得サーバ４０がトラフィック情報要求を送信するタイミングと同じである。
【００５５】
ステップＳ１０９ａにおいて、中継装置２０ａは、トラフィック情報を生成するとともに、生成したトラフィック情報をトラフィック情報取得サーバ４０に送信する。同様に、ステップＳ１０９ｂにおいて、中継装置２０ｂは、トラフィック情報を生成するとともに、生成したトラフィック情報をトラフィック情報取得サーバ４０に送信する。
【００５６】
ステップＳ１１０ａにおいて、中継装置２０ａは、モニタリングレポートを生成するとともに、生成したモニタリングレポートをサービス管理サーバ３０に送信する。同様に、ステップＳ１１０ｂにおいて、中継装置２０ｂは、モニタリングレポートを生成するとともに、生成したモニタリングレポートをサービス管理サーバ３０に送信する。
【００５７】
ここで、一般的に、サービス管理サーバ３０と各中継装置２０との間には、各中継装置２０が正常に動作しているか否かを監視する制御情報を送受信するための制御チャネルが設定されている。従って、各中継装置２０は、この制御チャネルを用いて、モニタリングレポートをサービス管理サーバ３０に送信してもよい。
【００５８】
ステップＳ１１１において、サービス管理サーバ３０は、各中継装置２０から受信するモニタリングレポートに基づいて、トラフィック情報取得サーバ４０に与えられた権限の範囲をトラフィック情報取得サーバ４０が超えているか否かを判定する。また、サービス管理サーバ３０は、権限の範囲をトラフィック情報取得サーバ４０が超えている場合には、ステップＳ１１２の処理に移る。なお、権限の範囲をトラフィック情報取得サーバ４０が超えていない場合には、各中継装置２０は、トラフィック情報の送信を継続する。
【００５９】
ステップＳ１１２ａにおいて、サービス管理サーバ３０は、トラフィック情報の送信中止を要求するための送信中止要求を中継装置２０ａに送信する。同様に、ステップＳ１１２ｂにおいて、サービス管理サーバ３０は、トラフィック情報の送信中止を要求するための送信中止要求を中継装置２０ｂに送信する。
【００６０】
なお、各中継装置２０は、サービス管理サーバ３０から送信中止要求を受信すると、トラフィック情報の生成（又は、その送信）を中止する。
【００６１】
（作用及び効果）
本発明の一実施形態に係る通信システム１によれば、各中継装置２０が、トラフィック情報取得サーバ４０が正当であること及びトラフィック情報取得サーバ４０を監視する機能を有するサービス管理サーバ３０が正当であることを認証した後に、トラフィック情報をトラフィック情報取得サーバ４０に送信することにより、通信システム１は、トラフィック情報（重要情報）を充分に保護することができる。
【００６２】
また、各中継装置２０が、モニタリングレポートをサービス管理サーバ３０に送信し、サービス管理サーバ３０が、与えられた権限の範囲をトラフィック情報取得サーバ４０が超えていないかを監視することにより、通信システム１は、トラフィック情報（重要情報）の保護をさらに強化することができる。
【００６３】
（その他の変更例）
上述した実施形態では、中継装置２０ａ及び中継装置２０ｂが、トラフィック情報をトラフィック情報取得サーバ４０に送信するとともに、モニタリングレポートをサービス管理サーバ３０に送信するが、これに限定されるものではなく、中継装置２０ａ及び中継装置２０ｂのいずれか一方のみが、トラフィック情報及びモニタリングレポートを送信してもよい。
【図面の簡単な説明】
【００６４】
【図１】本発明の一実施形態に係る通信システム１を示す概略図である。
【図２】本発明の一実施形態に係る通信システム１の構成を示すブロック図である。
【図３】本発明の一実施形態に係る通信方法を示すシーケンス図である。
【符号の説明】
【００６５】
１・・・通信システム、
１０・・・端末、
２０・・・中継装置、
２１・・・送受信部、
２２・・・認証部、
２３・・・モニタリングレポート生成部、
２４・・・トラフィック情報生成部、
２５・・・品質情報生成部、
３０・・・サービス管理サーバ、
３１・・・送受信部、
３２・・・認証部、
３３・・・監視部、
３４・・・監視情報ＤＢ、
４０・・・トラフィック情報取得サーバ、
４１・・・送受信部、
４２・・・認証部、
４３・・・トラフィック情報ＤＢ、
５０・・・通信ネットワーク、
【図１】
2006293639.tif 000003
【図２】
2006293639.tif 000004
【図３】
2006293639.tif 000005